(57)【要約】【課題】フィルム加熱方式の像加熱装置、及び該像加熱装置を搭載した画像形成装置について、急速に大きな熱量を効率よくシートに供給し、シート上の画像を加熱する能力を維持しながら、吸湿シートの非熱源側カールと乾燥シートの熱源側カールのない品質性に優れた低コストな装置を提供する。【解決手段】フィルム９の加圧回転体１１側とは反対面側のシート通過領域外のガイド部材１５ａによって、加熱ニップ部Ｎからシート排出方向にフィルム９とシートＰのみが接触する領域ＡＨを設けたこと。【選択図】図２
2004029658.tif 000002
【特許請求の範囲】
【請求項１】
ヒータと、前記ヒータの面を摺動するフィルムと、前記フィルムを挟んで前記ヒータと加熱ニップ部を形成する加圧回転体とを有し、画像を保持したシートを前記加熱ニップ部のフィルムと加圧回転体との間に導入して挟持搬送させることでフィルムを介した加熱体からの熱によりシート上の画像を加熱する像加熱装置において、
前記フィルムの加圧回転体側とは反対面側のシート通過領域外のガイド部材によって、前記加熱ニップ部からシート排出方向にフィルムとシートのみが接触する領域を設けたことを特徴とする像加熱装置。
【請求項２】
前記加熱ニップ部の領域面積と前記フィルムとシートのみが接触する領域面積とが略同一であることを特徴とする請求項１に記載の像加熱装置。
【請求項３】
前記フィルムの端部を受け止めて前記フィルムの寄り移動を規制するフランジ部材を有し、前記フランジ部材に凸状のガイド形状を一体的に設けて前記加熱ニップ部からシート排出方向にフィルムとシートのみが接触する領域を設けたことを特徴とする請求項１または２に記載の像加熱装置。
【請求項４】
前記フィルムがエンドレスフィルムであり、前記フィルムの内部をルーズに支持して回転可能にガイドすると共に、前記加熱体を保持可能な加熱体支持部材を有し、前記加熱体支持部材に凸状のガイド形状を一体的に設け、前記加熱ニップ部からシート排出方向にフィルムとシートのみが接触する領域を設けたことを特徴とする請求項１または２に記載の像加熱装置。
【請求項５】
前記フィルムの端部を受け止めて前記フィルムの寄り移動を規制するフランジ部材を有し、前記フランジ部材に従動コロを設け、前記加熱ニップ部からシート排出方向にフィルムとシートのみが接触する領域を設けたことを特徴とする請求項１または２に記載の像加熱装置。
【請求項６】
前記フィルムがエンドレスフィルムであり、前記フィルムの内部をルーズに支持して回転可能にガイドすると共に、前記加熱体を保持可能な加熱体支持部材を有し、前記加熱体支持部材に従動コロを設け、前記加熱ニップ部からシート排出方向にフィルムとシートのみが接触する領域を設けたことを特徴とする請求項１または２に記載の像加熱装置。
【請求項７】
前記フィルムがエンドレスフィルムであり、前記フィルムの内部の前記加熱ニップ部からシートを排出する側に駆動回転ローラを設け、シート通過領域外の前記駆動回転ローラによって、フィルム接触部がフィルムとシートのみが接触する領域を設けたことを特徴とする請求項１または２に記載の像加熱装置。
【請求項８】
前記加熱ニップ部からシートを排出する側にローラ対を有し、前記ローラ対が前記加熱ニップ部より上方に位置することを特徴とする請求項１から７の何れかに記載の像加熱装置。
【請求項９】
前記加熱ニップ部からシートを排出する側にシートガイド部材を有し、前記シートガイド部材のシートガイド面のシート移動方向下流側端部が前記加熱ニップ部より上方に位置することを特徴とする請求項１から８の何れかに記載の像加熱装置。
【請求項１０】
シートに未定着画像を形成する作像手段と、前記シートに前記未定着画像を定着させる定着手段を有する画像形成装置において、前記定着手段が請求項１から９の何れかに記載の像加熱装置であることを特徴とする画像形成装置。
【発明の詳細な説明】
【０００１】
【発明の属する技術分野】
本発明は、フィルム加熱方式の像加熱装置、及び該像加熱装置を搭載した画像形成装置に関する。
【０００２】
【従来の技術】
従来、複写機、プリンタ、ファクシミリ等の画像形成装置においてシート上に形成した未定着画像を定着する方法としては、接触加熱型の定着装置が広く用いられている。特に近年では省エネルギーの観点から、熱伝導効率が高く、温度の立ち上がりも速いフィルム加熱方式の加熱定着装置が広く用いられている。
【０００３】
このフィルム加熱方式の加熱定着装置は、例えば特開昭６３ー３１３１８２号公報、特開平１ー２６３６７９号公報、特開平２ー１５７８７８号公報、特開平４ー４４０７５〜４４０８３、２０４９８０〜２０４９８４号公報等に開示されており、ヒータ（加熱体）に耐熱性のフィルムを加圧ローラで圧接密着させて摺動搬送させ、フィルムを挟んでヒータと加圧ローラとで形成される圧接ニップ部に未定着画像を担持したシートを導入してフィルムと一緒に搬送させることで、フィルムを介して付与されるヒータからの熱と圧接ニップ部の加圧力によって未定着画像をシート上に永久画像として定着させる。
【０００４】
このようなフィルム加熱方式の加熱手段は、たとえば、複写機、レーザービームプリンタ、ファクシミリ、マイクロフィルムリーダプリンタ、画像表示（ディスプレイ）装置、記録機等の画像形成装置において、電子写真、静電記録、磁気記録等の適宜の画像形成プロセス手段により加熱溶融性の樹脂等よりなるトナーを用いてシート（転写材シート、エレクトロファックスシート、静電記録シート、印刷紙など）の面に間接（転写）方式もしくは直接方式で形成した目的の画像情報に対応した未定着のトナー画像を永久個着画像として加熱定着処理する画像定着装置として活用できる。
【０００５】
低熱容量で昇温の速い加熱体としては、耐熱性、絶縁性、良熱伝導性のセラッミク材基板と該基板に印刷、焼成等の手段で形成具備させた通電発熱部としての発熱抵抗部を基本構成体とし、発熱抵抗部に電力を供給して発熱させる、全体に低熱容量で昇温の速いセラミックヒータが用いられている。
【０００６】
このフィルム加熱方式の加熱定着装置の構成としては、フィルムの搬送専用のフィルム搬送用ローラと従動ローラを用いてテンションを加えながら加圧ローラとの間でフィルムを搬送する方式（フィルム直駆動方式）と、フィルムを回転可能にガイドする支持部材にルーズに嵌合させ、加圧ローラを駆動することでフィルムを加圧ローラに対し従動回転させる方式（加圧ローラ駆動方式）が知られているが、近年ではフィルムのテンション管理や片寄り制御をしなくて済み、小型化、低コスト化が可能な後者の加圧ローラ駆動方式が採用されることが多い。
【０００７】
図１２は加圧ローラ駆動方式のフィルム加熱定着装置としての一例の概略構成図である。本例の装置は特開平４ー４４０７５〜４４０８３、２０４９８０〜２０４９８４号公報等に開示の、耐熱フィルムとして円筒状フィルムを使用し、該フィルムを加圧手段としての加圧ローラで回転駆動そる、加圧ローラ駆動方式、テンションフリータイプ（フィルムに張力を与えないでフィルムを駆動させるもの）の装置である。
【０００８】
１４は図面に垂直方向を長手とする横長の細板状の加熱体（以下、ヒータと記す）である。
【０００９】
１０は横断面略半円形の横長樋型のフィルムガイド兼用のヒータ支持部材（ヒータ支持体）であり、このヒータ支持部材１０の下面中央部に支持体長手に沿ってヒータ１４を耐熱性接着剤等で固定支持させてある。ヒータ支持部材１０は横断面略半円形の外形でフィルム１０の内周をルーズに外嵌させてある。
【００１０】
９は円筒状（エンドレスベルト状）、薄膜の耐熱性フィルム（以下、定着フィルムまたはフィルムと記す）であり、ヒータ１４を支持させたヒータ支持部材１０にルーズに外嵌させてある。
【００１１】
１５はヒータ支持部材１０の両端部にそれぞれ配設した定着フィルム端部を受け止めて定着フィルム９の寄り移動を規制するフランジ部材である。
【００１２】
１１は加圧部材としての弾性加圧ローラであり、ヒータ支持部材１０のヒータ１４の下面と定着フィルム９を挟ませてローラ弾性に抗して所定の当接圧をもって互いに圧接させることで所要幅の加熱部としての加熱ニップ部Ｎを形成させてある。
【００１３】
加圧ローラ１１は不図示の駆動手段により矢示の反時計方向に回転駆動される。この加圧ローラ１１の回転によるローラ１１の外面とフィルム９の外面との加熱ニップ部Ｎにおける圧接摩擦力でフィルム９に回転力が作用して、フィルム９が、その内面がヒータ１４の下面に接触摺動しつつ、ヒータ支持部材１０の外周を矢示の時計方向に従動回転する。ヒータ支持部材１０はこの回転するフィルム９のガイドを兼ねる。
【００１４】
ヒータ１４としては一般に、セラミック基板と、基板面に印刷、焼成して具備させた発熱抵抗体を基本構成体とする低熱容量のセラミックヒータが用いられている。
【００１５】
加圧ローラ１１の回転によりフィルム９が回転され、またヒータ１４が通電により発熱して所定の温度に温調されている状態において、加熱ニップ部Ｎのフィルム９と加圧ローラ１１との間に、未定着トナー画像Ｔを形成担持させた被加熱材としてのシートＰのトナー画像面をガイド部材を通じてフィルム９側にして導入し、フィルム９と一緒に加熱ニップ部Ｎを移動させることで、加熱ニップ部ＮにおいてシートＰがフィルム９を介してヒータ１４で加熱されて未定着トナー画像Ｔの軟化、溶融定着がなされる。加熱ニップ部Ｎを通ったシートＰはフィルム９面から分離されて搬送される。
【００１６】
この装置はフィルム９の加圧ローラ１１の駆動による回転状態において、加熱ニップ部Ｎの部分を除いて実質的にフィルム９に張力が作用しておらず、そのためにフィルムの回転に伴う、ヒータ支持部材１０の長手に沿うフィルム寄り移動力が小さくてフィルム寄り移動制御手段を簡単化できる、容易な組立性とコストダウンを図ることができる等の有利な点がある。
【００１７】
８は加圧手段でフランジ部材１５を付勢することによりヒータ支持部材１０を付勢し弾性加圧ローラ１１との間に加熱ニップ部Ｎを形成している。
【００１８】
８ｂは装置フレーム３０に回動自在に軸支され、回動させて加圧手段８を開放する位置で保持可能に構成されている圧解除部材である。
【００１９】
即ち、圧解除部材８ｂを実線示のように水平姿勢に倒し回動操作した状態にしておくことで、加圧手段８による加圧作用により上記の加熱ニップ部Ｎが所定に形成された状態が保持される。圧解除部材８ｂを２点鎖線示のように垂直に引き起こし回動操作した状態にすることで、加圧手段８が圧解除部材８ｂのカム部により２点鎖線示のように持ち上げ回動されて加熱ニップ部Ｎの圧解除がなされる。垂直に引き起こし回動操作した圧解除部材８ｂは手を離してもその引き起こし状態がそのまま保持されて加熱ニップ部Ｎの圧解除状態が保持される。この状態から圧解除部材８ｂを実線示の水平姿勢に倒し回動操作することで加熱ニップ部Ｎは加圧状態に復帰する。
【００２０】
５１は加熱後のシートを挟持搬送するコロで、５０はコロ５１を保持しシートの上方をガイドする排出上ガイドである。
【００２１】
４１はコロ５１と排出ニップを形成する排出ローラで、４０は排出ローラ４１を配設できるシートの下方をガイドする排出下ガイドである。排出上ガイド５０と排出下ガイド４０で形成される間隔の排出ニップ上流側は、排出ニップに導入を容易、安定させるため徐々に狭くなるように構成されている。
【００２２】
６０は加熱定着後のシートを積載する排紙トレーである。コロ５１と排出ローラ４１で加熱後のシートを挟持搬送し、排出上ガイド５０と、排出下ガイド４０を通じて排紙トレー６０へ排出される。
【００２３】
装置フレーム３０には、上述のフランジ部材１５、加圧ローラ１１、排出上ガイド５０、排出下ガイド４０が配設される。
【００２４】
【発明が解決しようとする課題】
上記従来例においては、前述のように、熱伝導効率が高く、温度の立ち上がりも速いフィルム加熱方式の加熱定着装置は、急速に大きな熱量を効率よくシートに供給し、シート上の未定着トナーを定着させる能力を有している。
【００２５】
一般に多湿環境下の放置された吸湿シートを急速に加熱定着させると、排出されたシートは図１３に示す様に非熱源側（加圧ローラ側）に向かって大きくカールが発生する（以降、非熱源側カールという）。
【００２６】
この現象は以下の吸湿シートカール発生メカニズムで起こる。
【００２７】
始めに加熱ニップ部Ｎにおいて熱源側シート面から水分が蒸発し、熱源側シート面が収縮しようとする。しかし、熱源側シート面の収縮は加熱ニップ部Ｎによって強い強制力を受ける。この時、非熱源側シート面の水分は放出されないため、加熱ニップ部Ｎでは収縮応力は発生せず、収縮しない。
【００２８】
その後、排紙トレー６０上に排出されたシートＰは加熱ニップ部Ｎなどの強制される力を受けていない。排出されたシートＰは非熱源側シート面の水分の放出が進行するにつれて、収縮応力が発生し収縮が起こる。この時、熱源側シート面の収縮は完了しているため収縮応力として作用せず、非熱源側シート面の収縮のみがシートに作用して、吸湿シートの大きな非熱源側カールとして発生する。
【００２９】
この傾向は熱源側シート面と非熱源側シート面の水分の放出時間差が大きくなると非熱源側カールは大きくなる。
【００３０】
フィルム加熱方式の加熱定着装置は立ち上がりが速く、瞬間的に熱源側シート面を加熱できるので熱源側シート面の水分を一気に放出すると同時に非熱源側は高温に成らず、排紙トレー６０上での非熱源側シート面の水分の放出時間はゆっくりしたものになり、相対的に熱源側シート面と非熱源側シート面の水分の放出時間差が大きくなるなり、それに伴って吸湿シートの非熱源側カールは大きくなる傾向にある問題を有していた。
【００３１】
排紙トレー６０上での大きなカールで、僅かな積載枚数にて排紙口塞ぎ、ジャムの発生率が高まってきている。ジャム処理時にシートＰが破れ装置内に破れたシートＰが残留し、さらなるジャムの原因になることや、破れたシートＰが残留物となって装置本体の故障を誘発することが頻繁に生じてきている。その対策として小型・低コスト画像形成装置にも加圧手段を開放する圧開放手段が採用されてきている。
【００３２】
図１２の様な構成を小型・低コスト画像形成装置に採用したとき、圧解除部材８ｂを開放する位置（２点鎖線示位置）で保持可能に構成されているため、開放状態で装置を稼動させると画像定着装置が異常発熱し故障に至ることがある為、開放を検知する必要があり、専用のセンサー類などの構成付加によりコストＵＰしていた。また、図１２の様な構成をコストＵＰして導入することでジャム処理性は向上しても、像加熱手段通過後のシートＰのカールを小さくする構成を更に追加しないとジャムの発生率は低減しない。
【００３３】
また、図１４に示す様に図１２の構成に加え非熱源側カールの対策として熱源側に強制部材７０を設け、熱源側シート方向に強制的にカールをつける手法が用いられる場合がある。
【００３４】
この強制部材７０を導入した場合、乾燥環境下に放置された乾燥シートを急速に加熱定着させると、排出されたシートは図１５に示す様に熱源側（非加圧ローラ側）に向かって大きくカールが発生する（以降、熱源側カールという）。
【００３５】
この現象は以下の乾燥シートカール発生メカニズムによって起こる。
【００３６】
始めに加熱ニップ部Ｎにおいて熱源側シート面が加熱され、熱源側シート面が収縮しようとする。しかし、熱源側シート面の収縮は加熱ニップ部Ｎによって強い強制力を受ける。この時、非熱源側シート面は加熱されない為ため、加熱ニップ部Ｎでは収縮応力は発生せず、収縮しない。
【００３７】
その後、加熱ニップ部Ｎの下流に配設された強制部材７０によってしごかれ非熱源側シート面が伸ばされ、機械的外力で熱源側カールが発生する。
【００３８】
更にその後、排紙トレー６０上に排出されたシートは、乾燥しているため、水分の放出もなく、非熱源側シート面の収縮が起こらない。この時、加熱ニップ部Ｎの強制力から開放された熱源側シート面の収縮応力が僅かに残留して熱源側シート面に作用すると同時に強制部材７０による機械的外力によるカールが合わせられ、乾燥シートの大きな熱源側カールとして発生する。
【００３９】
乾燥シートの加熱による熱源側シート面の収縮応力の残留量は、熱源側シート面と熱源側シート面の温度差が大きいほど多くなり、熱源側シート面が収縮し熱源側カールも大きくなる。
【００４０】
フィルム加熱方式の加熱定着装置は立ち上がりが速く、瞬間的に熱源側シート面を加熱できるので、乾燥シートの加熱による熱源側シート面の収縮応力の残留量は、熱源側シート面と熱源側シート面の温度差が大きいほど多くなり、熱源側シート面が収縮し熱源側カールも大きくなる。特に立ち上がりが速い高速のフィルム加熱方式の加熱定着装置は、強制部材７０を導入しない場合においても熱源側カールが大きくなり、僅かな積載枚数にて排紙口塞ぎ、ジャムに至る場合があった。
【００４１】
低中速のフィルム加熱方式の加熱定着装置においては、非熱源側カール対策の強制部材７０を導入すると乾燥シートの熱源側カールは大きくなり、僅かな積載枚数にて排紙口塞ぎ、ジャムの発生が頻繁に生じてきている。
【００４２】
本発明の目的は、フィルム加熱方式の像加熱装置、及び該像加熱装置を搭載した画像形成装置について、急速に大きな熱量を効率よくシートに供給し、シート上の画像を加熱する能力を維持しながら、吸湿シートの非熱源側カールと乾燥シートの熱源側カールのない品質性に優れた低コストな装置を提供することにある。
【００４３】
【課題を解決するための手段】
本発明は下記の構成を特徴とする像加熱装置及び画像形成装置である。
【００４４】
（１）ヒータと、前記ヒータの面を摺動するフィルムと、前記フィルムを挟んで前記ヒータと加熱ニップ部を形成する加圧回転体とを有し、画像を保持したシートを前記加熱ニップ部のフィルムと加圧回転体との間に導入して挟持搬送させることでフィルムを介した加熱体からの熱によりシート上の画像を加熱する像加熱装置において、
前記フィルムの加圧回転体側とは反対面側のシート通過領域外のガイド部材によって、前記加熱ニップ部からシート排出方向にフィルムとシートのみが接触する領域を設けたことを特徴とする像加熱装置。
【００４５】
（２）前記加熱ニップ部の領域面積と前記フィルムとシートのみが接触する領域面積とが略同一であることを特徴とする（１）に記載の像加熱装置。
【００４６】
（３）前記フィルムの端部を受け止めて前記フィルムの寄り移動を規制するフランジ部材を有し、前記フランジ部材に凸状のガイド形状を一体的に設けて前記加熱ニップ部からシート排出方向にフィルムとシートのみが接触する領域を設けたことを特徴とする（１）または（２）に記載の像加熱装置。
【００４７】
（４）前記フィルムがエンドレスフィルムであり、前記フィルムの内部をルーズに支持して回転可能にガイドすると共に、前記加熱体を保持可能な加熱体支持部材を有し、前記加熱体支持部材に凸状のガイド形状を一体的に設け、前記加熱ニップ部からシート排出方向にフィルムとシートのみが接触する領域を設けたことを特徴とする（１）または（２）に記載の像加熱装置。
【００４８】
（５）前記フィルムの端部を受け止めて前記フィルムの寄り移動を規制するフランジ部材を有し、前記フランジ部材に従動コロを設け、前記加熱ニップ部からシート排出方向にフィルムとシートのみが接触する領域を設けたことを特徴とする（１）または（２）に記載の像加熱装置。
【００４９】
（６）前記フィルムがエンドレスフィルムであり、前記フィルムの内部をルーズに支持して回転可能にガイドすると共に、前記加熱体を保持可能な加熱体支持部材を有し、前記加熱体支持部材に従動コロを設け、前記加熱ニップ部からシート排出方向にフィルムとシートのみが接触する領域を設けたことを特徴とする（１）または（２）に記載の像加熱装置。
【００５０】
（７）前記フィルムがエンドレスフィルムであり、前記フィルムの内部の前記加熱ニップ部からシートを排出する側に駆動回転ローラを設け、シート通過領域外の前記駆動回転ローラによって、フィルム接触部がフィルムとシートのみが接触する領域を設けたことを特徴とする（１）または（２）に記載の像加熱装置。
【００５１】
（８）前記加熱ニップ部からシートを排出する側にローラ対を有し、前記ローラ対が前記加熱ニップ部より上方に位置することを特徴とする（１）から（７）の何れかに記載の像加熱装置。
【００５２】
（９）前記加熱ニップ部からシートを排出する側にシートガイド部材を有し、前記シートガイド部材のシートガイド面のシート移動方向下流側端部が前記加熱ニップ部より上方に位置することを特徴とする（１）から（８）の何れかに記載の像加熱装置。
【００５３】
（１０）シートに未定着画像を形成する作像手段と、前記シートに前記未定着画像を定着させる定着手段を有する画像形成装置において、前記定着手段が（１）から（９）の何れかに記載の像加熱装置であることを特徴とする画像形成装置。
【００５４】
（作　用）
１）加熱ニップ部通過後にフィルムとシートのみが接触する領域を設けたことで、加熱体支持部材等にフィルムが強く接していないためフィルムが高温に維持され、シートが加熱ニップ部を通過した後もフィルムの余熱によってシートを後加熱することが可能となる。
【００５５】
吸湿シートの場合は、加熱ニップ部の近傍の比較的収縮強制力のある領域にて、後加熱することで非熱源側の水分も放出され非熱源側カールが除去される。また、水分量が極めて多く、完全に除去できな場合でも、非熱源側の水分を減少化することが可能であるので、結果としてシート積載面での水蒸気の放出時間が短くなることでシート面の熱源と非熱源で時間差が小さくなり、様々な状態（水分量やシートの厚み）の吸湿シートにおいて非熱源側カールが大きく改善可能である。
【００５６】
乾燥シートの場合は、加熱ニップ部の近傍の比較的収縮強制力のある領域にて、後加熱することで、加熱ニップ部Ｎで生じた熱源側の収縮残留応力は除去されるのと同時に非熱源側も加熱されシートの非熱源側も若干の収縮することで、シート積載面での熱源側カールが除去される。
【００５７】
フィルム加熱方式の像加熱装置のフィルムの余熱による後加熱でカール対策を行なうため、急速に大きな熱量を効率よくシートに供給し、シート上の画像を所要に加熱する能力を維持される。
【００５８】
また、高速のフィルム加熱方式の像加熱装置においては、急速加熱性が高くなり、それに比例して非熱源側カール及び熱源側カール供に大きくなるが、本発明においては、高速のフィルム加熱方式の像加熱装置の急速加熱性によって、シートが加熱ニップ部を通過した後もフィルムの余熱によってシートを後加熱する能力も比例的に向上するため、特別な設定なしで高速のフィルム加熱方式の像加熱装置に導入可能であった。
【００５９】
僅かな積載枚数にて排紙口塞ぐジャムの発生率を低下することができ、ジャム処理時にシートＰが破れ装置内に破れたシートが残留し、さらなるジャムの原因になることや、破れたシートの残留物が装置本体の故障を誘発することもなくなった。構成付加によりコストＵＰもない。
【００６０】
該加熱ニップ部領域面積と前記フィルムとシートのみが接触する領域面積とを略同一にすると良い。したがって、加熱ニップ部面積と後加熱部面積を略同一にすることで大きなカール低減効果が得ることができる。
【００６１】
２）フィルムの端部を受け止めてフィルムの寄り移動を規制するフランジ部材を有し、フランジ部材に凸状のガイド形状を一体的に設けて加熱ニップ部からシート排出方向にフィルムとシートのみが接触する領域を設ける構成により、殆どコストを上昇させることなく実施できる。
【００６２】
３）フィルムがエンドレスフィルムであり、フィルムの内部をルーズに支持して回転可能にガイドすると共に、加熱体を保持可能な加熱体支持部材を有し、加熱体支持部材に凸状のガイド形状を一体的に設け、加熱ニップ部からシート排出方向にフィルムとシートのみが接触する領域を設ける構成により、加熱体部の加熱ニップ部とフィルムの後加熱部を加熱体支持部材のみで設定できるため高精度に殆どコストを上昇させることなく実施できる。
【００６３】
４）フィルムの端部を受け止めてフィルムの寄り移動を規制するフランジ部材を有し、フランジ部材に従動コロを設け、加熱ニップ部からシート排出方向にフィルムとシートのみが接触する領域を設ける構成により、フィルムの摺動抵抗を軽減させて導入でき、耐久性に優れる。
【００６４】
５）フィルムがエンドレスフィルムであり、フィルムの内部をルーズに支持して回転可能にガイドすると共に、加熱体を保持可能な加熱体支持部材を有し、加熱体支持部材に従動コロを設け、加熱ニップ部からシート排出方向にフィルムとシートのみが接触する領域を設ける構成により、加熱体部の加熱ニップ部とフィルムの後加熱部を加熱体支持部材で設定できるため高精度に実施できると同時に、フィルムの摺動抵抗を軽減させて導入でき耐久性に優れる。
【００６５】
６）フィルムがエンドレスフィルムであり、フィルムの内部の加熱ニップ部からシートを排出する側に駆動回転ローラを設け、シート通過領域外の駆動回転ローラによって、フィルム接触部がフィルムとシートのみが接触する領域を設ける構成により、駆動回転ローラの回転数制御によってフィルムの後加熱部の領域を調整可能となり、カールに対しより大きな効果を得ることが可能となった。
【００６６】
７）加熱ニップ部からシートを排出する側にローラ対を有し、前記ローラ対が前記加熱ニップ部より上方に位置する構成により、加熱体が小型で後加熱領域面積が大きく設けることができない小型装置においても、フィルムにシートを巻きつかせることで後加熱領域を大きくとることができる。
【００６７】
８）加熱ニップ部からシートを排出する側にシートガイド部材を有し、シートガイド部材のシートガイド面のシート移動方向下流側端部が加熱ニップ部より上方に位置する構成により、ガイドによってシートを上方に持ち上げることが可能となり、加熱体が小型で後加熱領域面積が大きく設けることができない小型装置においても、フィルムにシートを巻きつかせることで後加熱領域を大きくとることができる。
【００６８】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００６９】
（実施の形態１）
（１）画像形成装置例
図１は画像形成装置例の概略構成図である。本例の画像形成装置は電子写真プロセス利用のレーザービームプリンタである。
【００７０】
１は第一の像担持体としての回転ドラム型電気写真感光体（以下、ドラムと記す）である。このドラム１は回転過程でその表面が一次帯電器２により一様に帯電処理される。
【００７１】
次いで、その回転ドラム１の帯電処理面に対して、レーザースキャナー３から出力される、目的の画像情報の時系列電気デジタル画素信号に対応して変調されたレーザービームＬによる走査露光がなされることで、回転ドラム１の面に目的の画像情報に対応した静電潛像が形成される。
【００７２】
次いでその静電潛像が現像器４によりネガトナーＴで反転現像（レーザー露光部にトナーが付着）されて顕像化される。
【００７３】
一方、給紙カセット２０内から給紙ローラ２１により記録媒体（転写材）としてのシートＰが一枚分離給送され、レジストローラ対２２を経由してドラム１と転写ローラ５との圧接ニップ部である転写部に所定のタイミングで搬送導入されることで、転写材Ｐの面に対して回転ドラム１面側のトナー画像が順次転写される。
【００７４】
転写部を通過した転写紙Ｐは回転ドラム１の面から分離され、次の（２）項で説明する像加熱装置としての画像定着装置７へ搬送導入されて転写トナー画像の定着処理を受けて、排出手段でプリントとして排紙トレー６０へ排出される。
【００７５】
シート分離後の回転ドラム１の面はクリーニング器２３により転写残りトナー等の付着残留汚染物の除去を受けて清掃されて繰り返して作業に供される。
【００７６】
本例のプリンタはドラム１、一次帯電器２、現像器４、クリーニング器２３の４つのプロセス機器を一括してプリンタ本体内に着脱、交換自在のプロセスカートリッジ２４として構成してある。
【００７７】
（２）画像定着装置７
本例の画像定着装置７は前述した図１２の画像定着装置と同様に、加圧ローラ駆動方式、テンションフリータイプのフィルム加熱方式の装置である。図２は該画像定着装置７の概略構成図（横断面模型図）、図３は途中部分切り欠きの装置斜視模型図である。
【００７８】
加熱体１４、ヒータ支持部材（ヒータ支持体）１０、円筒状定着フィルム９、フランジ部材１５、弾性加圧ローラ１１、加圧手段８、加熱ニップ部Ｎ、装置フレーム３０、コロ５１、排出上ガイド５０、排出ローラ４１、排出下ガイド４０等は前述した図１０の画像定着装置と同様であるので、共通する構成部材部分には共通の符号を付して再度の説明を省略する。
【００７９】
加熱体としてのヒータ１４はセラミックヒータであり、耐熱性、絶縁性、高熱伝導性のアルミナ基板上に、たとえばスクリーン印刷で形成されたＴａＳｉＯ２、ＡｇＰｄ、ＴＡ２Ｎ、ＲｕＯ２、ニクロム等の薄膜発熱抵抗部を有し、定着フィルム９の内面に対向する面には耐熱ガラス等のオーバーコートが施されている。
【００８０】
耐熱性フィルムである定着フィルム９は、耐熱性、トナー離型性、強靱性を有する単層フィルム、あるいは所望の表面処理やラミネート処理をした複合層フィルムである。本実施例における定着フィルム９はポリイミド（ＰＩ）フィルムであり、耐熱処理した５０ｕｍのＺｎｏ単層フィルム、あるいは４フッ化エチレン（ＰＴＦＥ）で離型性付与処理した複合層フィルムである。
【００８１】
定着フィルム９を挟んでヒータ１４と加圧ローラ１１とが所定の加圧力（たとえばＡ４幅で総圧９８〜１９６Ｎ（１０〜２０ｋｇｆ））をもって圧接状態にある。
【００８２】
加圧ローラ１１は、その軸に不図示の装置本体駆動系から加圧ローラギアＧ１を介して回転力が伝達されることで、図２において矢印の反時計方向に回転駆動され、これに伴い、円筒状の定着フィルム９は加圧ローラ１１の表面摩擦力で加熱ニップ部Ｎにおいてその内面がヒータ１４の表面（下面）に密着して摺動しながら回転する。
【００８３】
Ｇ３は排出ローラ４１の軸に固着した排出ローラギアであり、この排出ローラギアＧ３と上記の加圧ローラギアＧ１とはアイドラギアＧ２で連絡させている。加圧ローラギアＧ１の回転に連動して排出ローラギアＧ３が回転する。すなわち加圧ローラ１１の回転駆動に連動して排出ローラ４１が回転状態になる。
【００８４】
加圧ローラ１１が回転駆動されて定着フィルム９が従動回転し、ヒータ１４が発熱抵抗部への通電により所定の温度（たとえば１５０ｄｅｇ以上）に昇温した状態において、被加熱材としての、未定着トナー画像Ｔを担持したシートＰがガイド部材を通って加熱ニップ部Ｎに導入される。導入されたシートＰは加熱ニップ部Ｎを定着フィルム９の外面に密着して定着フィルム９を介して受ける。その熱によりシートＰ上のトナー画像Ｔが軟化溶融して定着する。
【００８５】
排出下ガイド４０及び排出上ガイド５０はフレーム３０に取り付けてある。
【００８６】
加熱後のシートＰは排出上ガイド５０と排出下ガイド４０を通じて、コロ５１と排出ローラ４１に挟持搬送されて、排紙トレー６０へ排出される。
【００８７】
フランジ部材１５は、ヒータ支持部材１０の両端部にそれぞれ配設したフィルム端部を受け止めてフィルム９の軸線方向への寄り移動を規制している。フランジ部材１５のフィルムの回転を規制している長手位置はシート搬送領域の外側に位置している。
【００８８】
本実施例における特徴点は、図２、図３に示すように、定着フランジ１５に一体的に凸状のガイド形状１５ａを形成し、加熱ニップ部Ｎから略シート排出方向（通紙下流側）にフィルム９とシートＰのみが接触する領域を後加熱部ＡＨとして設けた点にある。ガイド形状１５ａはシート通過領域外に位置している。
【００８９】
ガイド形状１５ａはフランジ部材１５に一体的に形成されおり、加熱ニップＮからの排出方向から上方のフィルム９内部に空間Ｋが形成できる様になっている。
【００９０】
後加熱部ＡＨはフランジ部材１５のガイド形状１５ａによってフィルム９とシートＰのみが接触しており、フィルム９内部の空間Ｋの断熱効果によってフィルム９の余熱をシートＰに効率良く伝える。
【００９１】
（３）カール除去方法
図４を用いてカール除去方法について説明する。図４は加熱ニップ部Ｎから後加熱部ＡＨに至る吸湿シートの非熱源側カールが除去されるメカニズムを模式的にしめした拡大模型図である。
【００９２】
１、吸湿シートの非熱源側カール除去
▲１▼．加熱ニップ部Ｎ前
加熱ニップ部Ｎのシート搬送上流側に示すシートＰの断面内部の網掛け部はシート９に含まれる水分である。
【００９３】
▲２▼．加熱ニップ部Ｎ
加熱ニップ部Ｎにおいて、該水分は急激に高温に立ち上がったヒータ１４でフィルム９を通じて急速に加熱され、熱源側の水分だけが気化する。このとき非熱源側の加圧ローラ１１は発熱していないのと同時に加圧ローラ１１によって加圧されているため気化飛散できずに水分は非熱源側は略気化熱量を含んだまま残留している。
【００９４】
▲３▼．後加熱部ＡＨ
後加熱部ＡＨにおいて、空間Ｋの断熱効果によってフィルム９の余熱はシートＰに継続的に供給されている。このとき加圧ローラ１１から分離を完了しているため非熱源側に水分が抜けやすい状態である。非熱源側の水分は略気化熱量を含んでいることで、比較的少ないフィルム９の余熱によって非熱源側に急速に放出される。
【００９５】
したがって、後加熱によって非熱源側の水分も放出され非熱源側カールが除去された。
【００９６】
また、水分量が極めて多く、完全に除去できな場合でも、非熱源側の水分を減少化すことが可能であったので、結果としてシート積載面での水蒸気の放出時間が短くなることでシート面の熱源と非熱源で時間差が小さくなり、様々な状態（水分量やシートの厚み）の吸湿シートにおいて非熱源側カールが大きく改善可能であった。
【００９７】
このとき、加熱ニップ部Ｎと後加熱部ＡＨの面積は、ほぼ同一の領域以上であると効果が大きかった。
【００９８】
２、乾燥シートの熱源側カール除去
▲１▼．加熱ニップ部Ｎ前
シートＰには水分が殆ど含まれていない状態である。
【００９９】
▲２▼．加熱ニップ部Ｎ
加熱ニップ部Ｎにおいて、急激に高温に立ち上がったヒータ１４でフィルム９を通じて急速に加熱され収縮する。このとき非熱源側の加圧ローラ１１は発熱していないので収縮しない。収縮しようとする熱源側のシートは加圧ローラ１１によって加圧されているため、収縮できないため、収縮しようとする応力が含んだまま残留している。
【０１００】
▲３▼．後加熱部ＡＨ
後加熱部ＡＨにおいて、空間Ｋの断熱効果によってフィルム９の余熱はシートＰに継続的に供給されている。この後加熱によって熱源側の残留応力は除去されるのと同時に非熱源側を加熱することで、非熱源側のシートＰの収縮応力を発生させることができる。
【０１０１】
したがって、後加熱によって、加熱ニップ部Ｎで生じた熱源側の収縮残留応力は除去されるのと同時に非熱源側も加熱されシートの非熱源側も若干の収縮することで、熱源側カールが除去された。
【０１０２】
このときも、加熱ニップ部Ｎと後加熱部ＡＨの面積は、ほぼ同一の領域以上であると効果が大きかった。
【０１０３】
フィルム９の余熱を利用するため、ヒータ１４の立ち上がり速度や加熱量を減少させず、定着性を維持したまま吸湿シートの非熱源側カール及び乾燥シートの熱源側カールを除去できた。
【０１０４】
また、高速のフィルム加熱定着装置においては急速加熱性が高くなり、それに比例して非熱源側カール及び熱源側カール供に大きくなるが、本発明においては、高速のフィルム加熱定着装置の急速加熱性によって、シートが加熱ニップ部を通過した後もフィルムの余熱によってシートを後加熱する能力も比例的に向上するため、特別な設定なしで高速のフィルム加熱定着装置に導入可能であった。
【０１０５】
このように、急速に大きな熱量を効率よくシートに供給し、シート状の未定着トナーを定着させる能力を維持しながら、吸湿シートの非熱源カールと乾燥シートの熱源カールのないフィルム加熱定着装置が可能となった。このフィルム加熱定着装置を使用して品質性に優れた低コストな画像形成装置を提供することができた。
【０１０６】
（実施の形態２）
図５、図６は、第２の実施の形態に係るフィルム加熱定着装置７部の拡大模型図及び一部破断斜視図である。
【０１０７】
本実施例においては、ヒータ支持部材１０に一体的に凸状のガイド形状１０ａを形成し、加熱ニップ部Ｎから略シート排出方向（通紙下流側）にフィルム９とシートＰのみが接触する領域を後加熱部ＡＨとして設けた場合の実施例を示しており、ヒータ１４を支持しているヒータ支持部材１０に凸状のガイド形状１０ａを形成することで、単一の部品で加熱ニップ部Ｎと後加熱部ＡＨの領域を設定可能になり、高精度に加熱ニップ部Ｎと後加熱部ＡＨの関係を形成できる点が前述の実施の形態１とは異なっている。
【０１０８】
ガイド形状１０ａはヒータ支持部材１０に一体的に形成されおり、加熱ニップＮからの排出方向から上方のフィルム９内部に空間Ｋが形成できる様になっている。ガイド形状１０ａはシート通過領域外に位置している。
【０１０９】
したがって、後加熱領域ＡＨを精度よく設定でき、後加熱によって、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１１０】
その他の装置構成は実施の形態１の装置と同様であるから再度の説明は省略する。
【０１１１】
（実施の形態３）
図７は、第３の実施の形態に係るフィルム加熱定着装置７部の一部破断斜視図である。
【０１１２】
本実施例においては、フランジ部材１５に凸状の従動コロ１５ｂを配設し、加熱ニップ部Ｎから略シート排出方向（通紙下流側）にフィルムとシートのみが接触する領域を後加熱部ＡＨとして設けた場合の実施例を示しており、フランジ部材１５に凸状の従動コロ１５ｂを配設することで、フィルム９の摺動性を向上させ、フィルム耐久性が優れている点が実施例１とは異なっている。このことでフィルム回転速度の速い高速のフィルム加熱定着装置に使用が可能となった。
【０１１３】
従動コロ１５ｂはフランジ部材１５に回転自在に取り付けられており、加熱ニップＮからの排出方向から上方のフィルム９内部に空間Ｋが形成できる様になっている。従動コロ１５ｂはシート通過領域外に位置している。
【０１１４】
したがって、後加熱領域ＡＨをフィルム９を伸張させ空間Ｋをフィルム９内部に形成しても耐久性にすぐれ、後加熱によって、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１１５】
その他の装置構成は実施の形態１の装置と同様であるから再度の説明は省略する。
【０１１６】
（実施の形態４）
図８は、第４の実施の形態に係るフィルム加熱定着装置７部の一部破断斜視図である。
【０１１７】
本実施例においては、ヒータ支持部材１０に凸状の従動コロ１０ｂを配設し、加熱ニップ部Ｎから略シート排出方向（通紙下流側）にフィルムとシートのみが接触する領域を後加熱部ＡＨとして設けた場合の実施例を示しており、ヒータ１４を支持しているヒータ支持部材１０に従動コロ１０ｂを配設することで、単一の部品で加熱ニップ部Ｎと後加熱部ＡＨの領域を設定可能になり、高精度に加熱ニップ部Ｎと後加熱部ＡＨの関係を形成できると同時に、フィルム９の摺動性を向上させ、フィルム耐久性が優れている点が実施の形態２とは異なっている。このことでフィルム回転速度の速い高速のフィルム加熱定着装置に使用が可能となった。
【０１１８】
従動コロ１０ｂはヒータ支持部材１０に回転自在に取り付けられており、加熱ニップＮからの排出方向から上方のフィルム９内部に空間Ｋが形成できる様になっている。従動コロ１０ｂはシート通過領域外に位置している。
【０１１９】
したがって、後加熱領域を精度よく設定できると同時に、後加熱領域をフィルム９を伸張させ空間Ｋをフィルム９内部に形成しても耐久性にすぐれ、後加熱によって、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１２０】
その他の装置構成は実施の形態１の装置と同様であるから再度の説明は省略する。
【０１２１】
（実施の形態５）
図９は、第５の実施の形態に係るフィルム加熱定着装置７部の一部破断斜視図である。
【０１２２】
本実施例においては、フランジ部材１５に凸状の駆動ローラ１５ｃを配設し、加熱ニップ部Ｎから略シート排出方向（通紙下流側）にフィルムとシートのみが接触する領域を後加熱部ＡＨとして設けた場合の実施例を示しており、フランジ部材１５に凸状の駆動ローラ１５ｃを配設し、図示しない駆動源からの回転力でフィルム９の回転速度と速度差を設けることで、フィルム９の空間Ｋの大きさを変化可能であり、それに伴って後加熱部ＡＨの面積を変化可能である点が実施例１とは異なっている。このことでシートの状態や装置使用環境などの違いによって変化するカールに対し、最適な後加熱部ＡＨ領域の設定が可能となった。
【０１２３】
駆動ローラ１５ｃはフランジ部材１５に回転自在に取り付けられており、図示しない駆動源からの回転力を得ると同時に、速度制御可能である。加熱ニップＮからの排出方向から上方のフィルム９内部に空間Ｋが形成でき、フィルム９の回転速度と差によって空間Ｋの大きさを変えることが出来る様になっている。駆動ローラ１５ｃはシート通過領域外に位置している。
【０１２４】
したがって、フィルム９の空間Ｋの大きさを変化可能であり、それに伴って後加熱部ＡＨの面積を変化可能であり、最適な条件の後加熱によって、シートの状態や装置使用環境などの違いに係らず、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１２５】
その他の装置構成は実施の形態１の装置と同様であるから再度の説明は省略する。
【０１２６】
（実施の形態６）
図１０は、第６の実施の形態に係るフィルム加熱定着装置７部の拡大模型図である。
【０１２７】
本実施例においては、コロ５１と排出ローラ４１のローラ対を加熱ニップ部Ｎのシート排出位置より上方に距離Ｘだけ移動させて配置し、フィルム９にシートを巻きつかせることで後加熱部ＡＨの領域を大きくとることができる点が実施の形態１の装置とは異なっている。このことで、後加熱部ＡＨの面積が大きく設けることができない小型フィルム加熱定着装置においても有効な後加熱部ＡＨ領域の設定が可能となった。
【０１２８】
距離Ｘは加熱ニップ部Ｎのシート排出位置と、加熱ニップ部Ｎのシート排出位置より上方にあるコロ５１と排出ローラ４１のローラ対のニップ位置の高さの距離である。距離Ｘはフィルム９にシートＰを巻きつかせることで有効な後加熱領域ＡＨを確保できるようになっている。
【０１２９】
したがって、距離Ｘによってフィルム９にシートを巻きつかせることで後加熱部ＡＨの領域を大きくとることができ、有効なの後加熱によって、シートの状態や装置使用環境などの違いに係らず、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１３０】
その他の装置構成は実施の形態１の装置と同様であるから再度の説明は省略する。
【０１３１】
（実施の形態７）
図１１は、第７の実施の形態に係るフィルム加熱定着装置７部の拡大模型図である。
【０１３２】
本実施例においては、排出下ガイド４０のガイド面を加熱ニップ部Ｎのシート排出位置より上方に距離Ｙだけ移動させて配置し、フィルム９にシートを巻きつかせるタイミングを早めると同時に、コロ５１と排出ローラ４１のローラ対のニップに突入する前においてもフィルム９とシートＰの密着性を確保し、シートＰの先端から後加熱部ＡＨによる後加熱の効果を有効にした点が実施の形態１の装置とは異なっている。コロ５１と排出ローラ４１のローラ対のニップに突入する前まではフィルム９とシートＰの密着性が弱く、後加熱部ＡＨの加熱効果が比較的薄い傾向にあったが、排出下ガイド４０のガイド面を加熱ニップ部Ｎのシート排出位置より上方に移動させたことで、シートＰの先端においてもカールの除去が可能となった。
【０１３３】
距離Ｙは加熱ニップ部Ｎのシート排出位置と、加熱ニップ部Ｎのシート排出位置より上方にあるコロ５１と排出下ガイド４０のガイド面の高さ距離である。距離Ｙはコロ５１と排出ローラ４１のローラ対のニップに突入する前にもフィルム９にシートＰを巻きつかせ密着性を得ることで有効な後加熱領域ＡＨを確保できるようになっている。
【０１３４】
したがって、距離Ｙによってフィルム９にシートを巻きつかせるタイミングを早めると同時に、コロ５１と排出ローラ４１のローラ対のニップに突入する前においてもフィルム９とシートＰの密着性を確保し、シート先端部においても有効なの後加熱によって、シートの状態や装置使用環境などの違いに係らず、非熱源側の水分も放出され非熱源側カールが除去され、加熱ニップ部Ｎで生じた熱源側の収縮残留応力は除去されるのと同時に非熱源側も加熱されシートの非熱源側も若干の収縮することで、熱源側カールが除去された。
【０１３５】
その他の装置構成は実施の形態１の装置と同様であるから再度の説明は省略する。
【０１３６】
（その他）
１）本発明において、像加熱装置は、実施例のような加圧ローラ駆動方式、テンションフリータイプのフィルム加熱方式の装置に限られるものでないことは勿論である。エンドレスフィルムの内周面に駆動ローラを設け、フィルムにテンションを加えながら駆動するフィルム加熱方式の装置であってもよい。フィルムを有端のウエブ状にして、これを走行移動させるフィルム加熱方式の装置であってもよい。
【０１３７】
また、加熱体はセラミックヒータに限られない。例えば、電磁誘導発熱部材にすることも出来る。
【０１３８】
加圧回転体としての加圧ローラは回動ベルト形態のものにすることもできる。
【０１３９】
２）本発明において、像加熱装置は、未定着画像を記録材上に永久画像として加熱定着させる定着装置ばかりでなく、未定着画像を記録材上に仮定着させる像加熱装置、画像を担持した記録材を再加熱してつや等の画像表面性を改質する像加熱装置なども包含される。
【０１４０】
３）画像形成装置の作像原理・プロセスは実施例の電子写真方式に限れるものではないことは勿論であり、静電記録方式、磁気記録方式、中間転写方式等の装置であってもよい。直接方式の装置であってもよい。
【０１４１】
【発明の効果】
以上説明したように本発明によれば、フィルム加熱方式の像加熱装置、及び該像加熱装置を搭載した画像形成装置について、急速に大きな熱量を効率よくシートに供給し、シート上の画像を加熱する能力を維持しながら、吸湿シートの非熱源側カールと乾燥シートの熱源側カールのない品質性に優れた低コストな装置を提供することができる。
【図面の簡単な説明】
【図１】第一の実施の形態である画像形成装置の概略図
【図２】第一の実施の形態であるフィルム加熱定着装置部分の拡大模型図
【図３】第一の実施の形態であるフィルム加熱定着装置部分の一部破断斜視図
【図４】第一の実施の形態であるフィルム加熱定着装置部分の拡大模型図
【図５】第二の実施の形態であるフィルム加熱定着装置部分の拡大模型図
【図６】第二の実施の形態であるフィルム加熱定着装置部分の一部破断斜視図
【図７】第三の実施の形態であるフィルム加熱定着装置部分の一部破断斜視図
【図８】第四の実施の形態であるフィルム加熱定着装置部分の一部破断斜視図
【図９】第五の実施の形態であるフィルム加熱定着装置部分の一部破断斜視図
【図１０】第六の実施の形態であるフィルム加熱定着装置部分の拡大模型図
【図１１】第七の実施の形態であるフィルム加熱定着装置部分の拡大模型図
【図１２】従来の画像形成装置のフィルム加熱定着装置部分の拡大模型図
【図１３】従来の画像形成装置のフィルム加熱定着装置部分の拡大模型図（吸湿シート）
【図１４】従来の画像形成装置のフィルム加熱定着装置部分の拡大模型図
【図１５】従来の画像形成装置のフィルム加熱定着装置部分の拡大模型図（乾燥シート）
【符号の説明】
１・・感光体ドラム、２・・一次帯電器、３・・レーザースキャナー、４・・現像器、７・・フィルム加熱定着装置、８・・加圧手段、９・・定着フィルム（耐熱性フィルム）、１０・・ヒータ支持部材、１１・・加圧ローラ、１４・・ヒータ（発熱体）、１５・・フランジ部材、３０・・フレーム、４０・・排出下ガイド、４１・・排出ローラ、５０・・排出上ガイド、５１・・コロ、６０・・排紙トレー、Ｎ・・加熱ニップ部、ＡＨ・・後加熱部、Ｐ・・シート、Ｔ・・トナー、Ｘ，Ｙ・・距離
【図１】
2004029658.tif 000003
【図２】
2004029658.tif 000004
【図３】
2004029658.tif 000005
【図４】
2004029658.tif 000006
【図５】
2004029658.tif 000007
【図６】
2004029658.tif 000008
【図７】
2004029658.tif 000009
【図８】
2004029658.tif 000010
【図９】
2004029658.tif 000011
【図１０】
2004029658.tif 000012
【図１１】
2004029658.tif 000013
【図１２】
2004029658.tif 000014
【図１３】
2004029658.tif 000015
【図１４】
2004029658.tif 000016
【図１５】
2004029658.tif 000017